(57)【要約】【課題】  避難機能のみのいわゆる単能な装置でなく津波襲来後に発生するライフラインのうちの特に飲用や洗浄用などとして非常時の生活に不可欠な水を確保・提供する機能を持ち合わせた小規模型避難装置を提供することを目的とする。【解決手段】  立直構造体の上部に避難部を設けその避難部に登降可能とした小規模型避難装置であって、支柱に貯水部を設けて非常時に貯水分を利用可能に構成した。【選択図】図１
2014005714.tif 000002
【特許請求の範囲】
【請求項１】
立直構造体の上部に避難部を設けその避難部に登降可能とした小規模型避難装置であって、立直構造体に貯水部を設けて非常時に貯水分を利用可能に構成した小規模型避難装置。
【請求項２】
請求項１に記載のものにおいて、貯水部に関連して他の避難部を設けた小規模型避難装置。
【発明の詳細な説明】
【技術分野】
【０００１】  この発明は、個人住居あるいは事業施設などの周域に設置されて極く近場での避難用として利用される小規模型避難装置に関する。
【背景技術】
【０００２】  先の東日本大震災において発生した津波は、想定を大きく超えるもので避難場所が遠い高台に限定されていることもあって大災害を招いた。本出願人は、遠い高台でなく近場の避難装置を提供するため研究開発を行い、同震災前から津波避難装置を提案している。【０００３】
【特許文献１】  特開２００８−０１４１１２
【特許文献２】  特開２０１１−１５７８１１
【発明の概要】
【発明が解決しようとする課題】
【０００４】  特許文献１に開示された津波避難装置によれば、鉄骨構造型の高い津波避難装置であることからそこに避難すれば津波から助かることができるのであるが、大規模なもので設置費用がかかりしかも設置場所にも制限があることなどの理由から例えば、町内単位で１個所しか設置できないことなどの理由で近場といっても災害弱者にとっては避難するにも時間の掛かるものとなり、全ての住民にとって避難しやすい避難装置とは言えなかった。
そうした観点から小規模な津波避難装置を各家庭の庭に設置するようにすればごく近場となって災害弱者にも避難しやすい環境を提供することができることになる。そして、そこに設置する小規模型の避難装置としては、特許文献２に開示されたものが好適である。
しかし、特許文献２に開示された避難装置は、避難専用でその他の機能はないいわゆる単能な装置に過ぎない。【０００５】  この発明は、上記問題を解決しようとするものであり、避難機能のみのいわゆる単能な装置でなく津波襲来後に発生するライフラインのうちの特に飲用や洗浄用などとして非常時の生活に不可欠な水を確保・提供する機能を持ち合わせた小規模型避難装置を提供することを目的とする。
【課題を解決するための手段】
【０００６】  この発明は上記目的を達成するため、請求項１に記載の発明は、立直構造体の上部に避難部を設けその避難部に登降可能とした小規模型避難装置であって、立直構造体に貯水部を設けて非常時に貯水分を利用可能に構成した。
請求項２に記載の発明は、請求項１に記載のものにおいて、貯水部に関連して他の避難部を設けた。
【発明の効果】
【０００７】  上述したようにこの発明は、立直構造体の上部に避難部を設けその避難部に登降可能とした小規模型避難装置であって、立直構造体に貯水部を設けて非常時に貯水分を利用可能に構成したので、避難機能のみのいわゆる単能な装置でなく津波襲来後に発生するライフラインのうちの特に飲用や洗浄用などとして非常時の生活に不可欠な水を確保・提供する機能を持ち合わせた小規模型避難装置を提供することができる。
【図面の簡単な説明】
【０００８】
【図１】  この発明の一実施形態を示す小規模型避難装置の正面図。
【図２】  図１の避難装置の平面図。
【図３】  図１のＡ−Ａ線断面図。
【図４】  図１のＢ−Ｂ線断面図。
【図５】  貯水部とその配水経路を示す模式断面図。
【図６】  図７の他の実施形態である避難装置の平面図。
【図７】  図６の避難装置の正面図。
【図８】  他の実施形態を示す図９のＣ−Ｃ線断面図。
【図９】  図８の正面図。
【図１０】  他の実施形態を示す正面図。
【図１１】  他の実施形態を示す正面図。
【図１２】  他の実施形態を示す正面図。
【図１３】  他の実施形態を示す正面図。
【図１４】  他の実施形態を示す正面図。
【発明を実施するための形態】
【０００９】  以下、本発明の一実施形態を説明する。各実施形態の中で説明する各案は関係する他の実施形態においても適用することができる。
図１ないし図５は小規模型津波避難装置（津波避難タワーともいう）の一実施形態を示すもので、ここで小規模型とは、一般住戸の内庭や事業所の前庭・裏庭などのように比較的面積の狭い場所であっても縦長式に設置可能であるものをいうが、広い面域を対象にしその一部を設置対象にして設置する場合も含む。
１は内庭や前庭などの設置基盤、２Ａは図４に破線で示すような略三角形をしたベタ基礎であるコンクリート基礎、２Ｂは図４に破線で示すような３辺を有する三角形をした基礎梁でコンクリート基礎２Ａの上面内に固定される。３は地中杭で、この実施形態では、直径Ｄ１が１．８ｍ程度の円上に形成される正三角形の頂点位置に対応するように３本埋め込まれているとともに、その上に前記基礎梁２Ｂが結合されている。
尚、図１の左欄に示すように、地中杭３は三角形の中央位置に１本打ち込むものとし、この杭３と基礎梁２Ｂとを斜材２Ｃで連結することによりコンクリート基礎２Ａ上に基礎梁２Ｂを固定配置するようにしてもよい。杭３の本数が少なくなって打ち込みが省力化される一方において斜材２Ｃにより大きな抵抗力を発生することができるようになる。
【００１０】  地中杭３には、フランジ４と止着具とを介してそれぞれ支柱５が立設されている。支柱５は丸パイプ製で、全体として弓なり状になったもので、その高さは７．８ｍ程度とされており、各支柱５はその弓なり状の形成する面が装置の求心方向に向くように凹んだ側がそれぞれ外に向き全体として中段部分が絞られた細胴状で高鼓形をしたものとして立設されている。支柱５の下端の中心は前記Ｄ１（１．８ｍ）の円上にあるが、支柱５の上端の中心はＤ１より大きいＤ２（２４ｍ）の円上にあることから、支柱５は下端よりも上端がやや径大状をした形になっている。尚、支柱５は４本以上のこともある。
【００１１】  ７は丸パイプをリング状に形成した固定リングで、３本の支柱５の外周に図示しない取付具により連結一体化され、この実施形態の場合は、支柱５の上下複数段に亘るように配備されることにより支柱５を強固に一体化している。
固定リング７は、支柱５の外周に配置されるもので、これにより、津波とともに流れ来るコンテナや家屋、船舶などの漂流物が支柱５に当って保留されようとする場合でもそれら漂流物をこの固定リング７によって排除することにより外域へ流し去るようにし、さらに漂流物が直接支柱５に衝突しないように機能する。この固定リング７は、前記弓なり状支柱５による立直構造体を取付対象とする以外に、複数本の垂直な支柱による立直構造体や支柱を円錐面上に配置した立直構造体その他の避難装置にも構成することができ、同固定リング７の構成はそれだけで１つの発明を構成するものである。固定リング７は図１の例ではタンク１８を載置しない立直構造体にも適用される。
８は下側架台で、上からみるとリング状をしていてその外周の支柱５に取付けられるとともに設置基盤１からＨ１の高さ（約６ｍ）にその上面がくるように固着されている。この下側架台８の上面には、同じく丸板製の主（下側）避難部９が固定して設けられている。主避難部９は、津波襲来時にまず第１に避難する場所であり、この主避難部９は、前記支柱５の上部が下端よりも拡がり状をなしているので、広い避難面積を提供できることになる。
この主避難部９には、図３に示すように、下側通口１０が開けられるとともに、この通口１０の周縁上面からは一方向にのみ出入り可能な内周落下防止部材１１が立設されている。
【００１２】  １３は外周落下防止部材で、湾曲した上下の横桟ａの間に複数本の縦桟ｂを組み合わせた柵状の部材で、縦桟ｂは上向きに拡がるテーパー面の面内に配置されている。この外周落下防止部材１３は、津波流を通すことで装置への負荷が軽減されるが、安全性を考慮して津波流を遮断する面状材で囲うこともできる。３本の支柱５の上端には、上からみて円胴体とされ上面にタンク座盤１５を載置固定した上側架台１６が固着されている。タンク座盤１５には丸形をした通穴１５ａが形成されている。ここで、前記立直構造体は、支柱５、固定リング７、下側架台８、上側架台１６などで主に構成されている。
【００１３】  タンク座盤１５上には金属あるいは樹脂製の貯水タンク（貯水部）１８が設置固定されている。この貯水タンク１８は、その中央に丸い昇降通口１９を有するドーナツ型をなすもので、その上面にはタンク内に入ることのできる程度の開口２０が開けられているとともにその開口２０を開閉する蓋２１が装着されている。また、同タンク１８内には、図５に示すように、開口２０から内部清掃する人が昇降するための内ステップ２２が設けられている。さらに、同タンク１８には、地上で開閉操作可能な外部給水弁２５を備えた第２給水管２３が連通して接続されている。２６は家屋で、上水源２７から給水可能に構成されているが、同家屋２６からは第１給水管２８が別途取り出され、この第１給水管２８と前記第２給水管２３との間は、家屋２６が流失した場合に自動離脱して配管系を護るジョイント２９で接続されている。外部給水弁２５は自動弁でもよい。
【００１４】  ３０は出水管で、貯水タンク１８の底より低い凹所に連通するとともに地上で操作可能な出水弁３１および濾過器３２を備えており、例えば、出水弁３１を開くことで津波襲来後などにおいてタンク内の貯留水を非常用浄化水として地上で利用することができるようになっている。尚、３３はドレンパイプで、固定パイプａとそれより高さ調節可能とされた昇降パイプｂからなり、昇降パイプｂは適宜高さでロック可能とされており、必要に応じて高さ調節することで図示の水面レベルを高低に変更することができるようになっている。
【００１５】  一方、貯水タンク１８の上側には、図２に示すようなドーナツ板型をした副避難部３８がタンク周囲のステー３９に支持されて取り付けられており、この副避難部３８はＨ２（約８．７ｍ）の高さに設定されるとともに、その外周には上手摺４０を設けてタンク清掃時や津波避難時の落下を防止するようにしてある。この上手摺４０は、津波流を遮断するため上からみて円筒状をなすような面状材で形成することもでき、手摺４０と面状材とを組み合わせることもできる。非透過質の面状材を採用しそれを充分高くしておくことで高所での作業を嫌う人にも安心なものとなる。副避難部３８には、開口３８ａが設けられ、この開口３８ａは、前記蓋２１の上方に対応する個所に明けられて蓋２１を副避難部３８上から開閉できるようになっている。４１は雷抑制器、４２は風力発電装置である。また貯水タンク１８の側面外部や副避難部３８などにはソーラーパネル４３を装備してもよい。４４は蓄電装置である。
【００１６】  ４７は登降手段である主梯子、４８は補助梯子であり、主梯子４７は、地上から垂直に伸び主避難部９の下側通口１０を通じてさらに貯水タンク１８の昇降通口１９内を通って副避難部３８上に立ち上がるように伸びている。補助梯子４８は、主梯子４７の下部から主避難部９の高さに至る間において主梯子４７に直交する関係で補助的に設けられている。
尚、５０は緩衝杭で、コンクリート基礎２Ａの外周３点位置を通じて立設されており、この緩衝杭５０は、支柱５の外径方向に対応して配置されることから津波や漂流物が襲来してきた場合それらが支柱５に当たる前にこれら緩衝杭５０に当たることによって本避難装置に衝撃が加わらないようになっている。この緩衝杭５０には、脱着自在な連結材５１を介して車両５２とを結ぶことにより津波襲来時の車両５２の流失を防止することができる。また、５３は密閉蓋５４付きの備蓄庫であり、この備蓄庫５３についても地中に埋設しさらに杭５５で地中固定しておくことで津波によって流されることがなく、その結果、津波後に残る備蓄庫５３を利用してその内部に収納しておいた飲用水や非常食などを利用することができる。備蓄庫５３内には金庫を入れておいてもよい。
【００１７】  前記実施形態の小規模型避難装置は、例えば、設置面積に制約のある自宅の庭先でも設置することができ、設置しておくと津波の襲来警報が発せられた場合には、自宅から庭先に出て主梯子４７や補助梯子４８を利用して主避難部９まで登っておけば津波が襲来しても助かるものである。主避難部９よりも高い位置に副避難部３８が設けられているので、そこまで登れば高い津波に襲われても安全なものである。また、津波や漂流物が襲来してきても前段階において緩衝杭５０がそれらを受け留め支柱５などの立直構造体には直接作用しないので避難装置が倒されたり損傷を受けたりするおそれが少なくなる。
【００１８】  貯水タンク１８への給水について、平時には、図５に示すように、出水弁３１を閉じた状態で地上で外部給水弁２５を開ければ、第１、第２給水管２８，２３を通じて貯水タンク１８内に給水ができ、その給水量はドレンパイプ３３によって一定レベルに制限されるようになっているので、ドレン水の地上での確認により外部給水弁２５を閉じることで貯水タンク１８内には常に一定量の水が確保された状態になる。
【００１９】  一方、貯水タンク１８内の貯留水については、浄化手段を内装して長期間の浄水化が得られるように対処するが、一定期間の使用に伴って清掃が必要となった場合、まず図５の出水弁３１を開いて貯水タンク１８内の水を抜いてのち、出水弁３１は開のままにして外部給水弁２５を開くように操作する。そうすると、貯水タンク１８内には給水がなされるが出水管３０から排水される循環が構成され、その状態で清掃する人は、主梯子４７を使って主避難部９まで登り昇降通口１９を潜り抜けて上段の副避難部３８上へと上がり、副避難部３８上において脱着蓋３５を取り外して開口３８ａを開けたのち、内ステップ２２を使って貯水タンク１８内に入るようにする。そして、タンク１８内の清掃をする訳であるが、タンク１８内には、第２給水管２３から給水がなされているので、その水を使って内部清掃をする。清掃による汚濁水は出水管３０を通じて全て排出される。清掃後、脱着蓋３５を閉止してのち主梯子４７を使って主避難部９から地上へ戻り、出水弁３１を閉止してのち、ドレンパイプ３３からのドレンが地上で確認された時点で外部給水弁２５を閉止しておく。これにより、貯水タンク１８内には一定レベルの新規水が溜まった状態となる。
津波襲来後においては、ライフラインの給水系が断絶されたとしても、貯水タンク１８に多量の水が確保されているので、出水弁３１を開くことで非常用水として飲料用その他洗浄用などとして活用することができる。尚、避難装置の近くに地下水供給装置を掘っておき、貯水タンク１８内の水の補充役を担うようにしてもよく、この場合、地下水を前記濾過器３２を経由するように切り替え弁を備えて構成すれば清浄水の供給が可能になる。
【００２０】  立直構造体を、弓なり状支柱５の複数寄り合わせ型とするとともにこれらの支柱５を上下複数段の固定リング７で一体化した構造とすると、津波流に対して強く抵抗する避難装置を提供することができるとともに、上部に貯水タンク１８を配置したことから下部や中段を細胴状にすることができたもので、細胴状としたことで、漂流物や津波流をかわして側脇方へ流しやすくなって避難装置が防護されやすくなった。尚、下部あるいは中段に貯水タンク１８を配してもよい。特に下部に貯水タンク１８を配置する場合、その下側一部を地中に埋設したりあるいは全部を埋設することがある。
立直構造体の上部に構成した主避難部９のさらに上側に副避難部３８を構成すると、多くの人数を避難できるとともに、主避難部９での避難からより高い副避難部３８への避難移動が可能になり、安全性が向上する。
主避難部９上に貯水タンク１８を配すと、前記のように津波襲来後の非常用水の利用ができるだけでなく、前記実施形態のように貯水タンク１８をドーナツ型としその中央を昇降通口１９としてあると、主避難部９から副避難部３８への避難移動が津波流の影響を受けずに安全になされる。
【００２１】  図６および図７は他の実施形態を示す。同実施形態は、立直構造体の上部に避難部を設けその避難部に登降可能とした小規模型避難装置であって、立直構造体に貯水部を設けて非常時に貯水分を利用可能に構成した小規模型避難装置で、避難機能のみのいわゆる単能な装置でなく津波襲来後に発生するライフラインのうちの特に飲用や洗浄用などとして非常時の生活に不可欠な水を確保・提供する機能を持ち合わせた小規模型避難装置を提供することを目的とするものである。
【００２２】  特に、同実施形態では、設置基盤６０内に埋設したコンクリート基礎６１から大径状の丸パイプ製とした支柱６２を立設して立直構造体とし、その支柱６２の下部外周に避難口６３を形成して密閉型の防護ドア６４を装備するとともに、支柱６２の内部あるいは外部には主梯子６５を設けて支柱６２上に備えた主避難部６６上に避難可能としたものである。支柱６２は主避難部６６を突き抜けていてその上端の出口６７を通じて主避難部６６上に出ることができるようになっている。主避難部６６は上からみると四角形をなし、その外周には立柱６８を介して下側安全囲い６９が設けられている。さらに、支柱６２の上端には貯水タンク７０が設置固定されており、蓋７１を備えている。前記立柱６８の上部を介して上側安全囲い７２が設けられている。７３は副避難部で、貯水タンク７０の周りに設けられており、この副避難部７３へは、副梯子７４と開閉蓋７５とを介して昇降可能になっている。尚、支柱６２の地中外周からは張り出し梁７６が突設されて立直構造体との間に張設されたトラワイヤー７７により立直構造体は安定化されている。貯水タンク７０への配水系は、図５のようになっている。避難装置は、図６の右欄に示すように、丸型にすることもできる。
【００２３】  同実施形態のように、周囲から仕切られた空間を形成するパイプ製とし内部に主梯子６５を備えた支柱６２を立直構造体の主要部とし密閉型の防護ドア６４を装備したものにすると、その内部も避難部となり、主避難部６６や副避難部７３などの上側の避難部以外にも避難することができるようになる。
【００２４】  図８および図９は他の実施形態を示す。丸あるいは角パイプ製の支柱８０を立設しその内部に設けた梯子などの登降手段８０ａにより上部の避難部まで避難するようにした避難装置においては、健常者など梯子を登ることができる人しか避難することができないものが殆どである。図７の避難装置を例にとればドア６４を避難後に密閉しておけば支柱下部内に避難し得るが長い時間避難を続けることには狭く窮屈で身体的に無理がある。そこで、図８および図９の実施形態は、車椅子８１に載せられた災害弱者までも簡単に避難できるとともにその避難状態を一定の長い時間楽に継続し得るようにしたものである。即ち、支柱８０の基部一側部には、通口８２を形成してそれを側方から囲むような筒型の防護室体８３を一体的に突設するとともに、この防護室体８３の一端に出入口を開けておいてその開口にパッキン８４を介して密閉型の防護ドア８５を開閉自在に装備したものである。防護ドア８５は、防護室体８３の上面および左右側面の突出したその中に位置するように津波流から護られている。津波流は図９のＸ方向から来るであろうことを想定した場合のことである。８６はステップで、地盤８７から防護室体８３内の底面までできるだけ入りやすく高さ調整をするためのものである。防護室体８３は底部が地中に埋没した形になっていて津波襲来時の抵抗部分となり避難装置の安定につながるようにしてあるが、底面が地上にくるようにしてもよい。
【００２５】  津波襲来から避難すべきとの警報が出されると、災害弱者は自らあるいは介護者の手を借りて自宅の庭に出て避難装置内に避難しようとする。その際、まず防護ドア８５を開け、防護室体８３内に避難するようにする。介護者や他の避難者も防護室体８３に入りドア８５を密閉ロックしておくことにより津波流が入ってくるおそれはない。災害弱者は、登降手段８０ａを使って上へ登る必要なく車椅子８１に座ったまま防護室体８３内で待避することができ、そのまま津波の襲来が終わるまで楽にすることができる。その他の人は防護室体８３内に待避していてもよいが、スペースがない場合、上部の避難部に登って避難したり登降手段８０ａ上で待避することもできる。支柱８０の上端には図７に示すような避難部を構成する場合と、上端を閉止して内部のみを避難部とする場合とがある。上端を閉止する場合は、その上端を一体に閉止する場合と図９のように開閉自在な密閉蓋８８で閉止する場合とがある。この密閉蓋８８は津波流Ｘによる被害を回避するため斜めに切除し斜壁８０ｂで塞いだ面の開口にパッキンを介して設けることができる。この密閉蓋８８は支柱８０の上にあるとともに津波流Ｘなどの影響のないところに設けてあるので、津波後に開けやすいものとなる。支柱８０の上端を開放状とする図７の場合には津波流が浸入してくるが、これら支柱８０を密閉化する場合、津波の襲来が想定を超えて高くなった場合にも安全な避難装置として機能する。
前記登降手段８０ａは、一般的なコの字形のものでもよいが、長い時間それに掴まって待避すると著しく疲労する。そこで、図８に示すように、平らな板ａに掴み部ｂを作るための孔ｃを開けて作り、その板ａを縦軸状ヒンジｄまわりに回転可能にして登降手段８０ａを構成して矢印のように支柱内で回転させることで座板となってこれに座ることができるように構成すれば待避が長引いても疲労しないものとなる。
尚、図９の左欄に示すように、避難装置の前方に立設した緩衝杭８９それ自体を貯水タンクとしてもよい。緩衝杭８９は丸あるいは角パイプ状のもので密閉式の蓋９０と底板９１とを有し内部には給水管９２を通じて給水可能であり出水部９３を通じて非常時でも水を利用することができるようになるとともに、緩衝杭８９は内部に貯水部があると津波流や漂流物が当たったとしても対抗強度が高くなり貯水部の重さも抵抗力を高めるために機能する。蓋９０は開閉自在としておくことで内部清掃ができる。また、蓋９０を閉止する場合、ブラシなどの清掃部材９４を有し外部のハンドル９４ａにより定期的に清掃可能にしてもよい。この緩衝杭８９は、図９に示す支柱タイプの避難装置以外、例えば、図１など緩衝杭を採用する他の実施形態の場合にも適用することができる。
【００２６】  図１０は他の実施形態を示す。同実施形態は、櫓型やパイプ支柱型の立直構造体９５に登降手段９６と上部の避難部９７を備えて構成した津波用（あるいは洪水用）の避難装置Ｔを各住戸９８の庭に設置した場合に、それら装置Ｔの避難部９７同士を連絡橋９９で連結することにより、地震および津波時に避難装置Ｔが強く安定したものとなり、しかも、連絡橋９９を利用して避難移動も可能になることで避難が安全なものとなるようにしたものである。連絡橋９９は、図示では一方向のみのものを示しているが、それに直交する方向にも伸ばしてネットワーク式に構成することができる。連絡橋９９の末端は図示しない山や丘などの高台に連絡すれば庭先から高台への安全避難が可能になる。高台としては、鉄骨製大型避難施設や歩道橋なども含む。
尚、住戸９８と避難装置Ｔとは補強梁１００により互いに連結しておくと、地震および津波が襲ってきた際に住戸９８が護られる。
【００２７】  図１１は他の実施形態を示す。同実施形態は、金属パイプにモルタルを吹き付けて擬木状とした支柱１０４の上に下避難部１０５と上避難部１０６を設置して梯子状の登降手段１０７を介して登降可能としたものを立直構造体とし、この立直構造体の上部周りに円錐型をなす覆い体１０８を装備して擬木型の避難装置となし、住戸１０９の庭先などに設置することにより鉄骨構造体のもつ無機質感を違和感の少ない自然樹木に近いものにイメージしたものである。覆い体１０８はテント地や帆布地などで作製する。この場合も住戸１０９を避難装置によって防護するため連結梁１１０を設けてもよい。１１１は避雷針である。
【００２８】  図１２は他の実施形態を示す。例えば、図１０に示す立直構造体９５は金属による構造体であってその無機質な面がそのまま露呈する形になるため、審美性に乏しく特に一般住戸の庭にそうした避難装置を設置した場合には周りの緑に対し違和感がもたらすものとなる。そこで立直構造体９５を緑に塗装すればよいのであるが、塗装ではどうしても違和感が残るものとなる。
そこで、図１２（ａ）のように、基礎杭１１５とコンクリート基礎１１６及び連結梁１１７とでなる基礎部分に違和感を与えにくい擬木型の支柱１１８を立設するとともに、支柱１１８に添って登降手段１１９を設け、さらに上端に避難部１２０を備え付けるものとし、これにより、違和感を少なくするようにした。１２１は風力発電装置本体、１２２はソーラーパネル１２３付きの受フレームである。この実施形態も違和感の少ない避難装置を提供することにある。１２４はトラワイヤで、避難装置の安定化のために牽張してある。
更なる対策として、同図（ｂ）の右欄のように、１本の芯線材１２６に枝分かれした人工（プリント）葉（人工花を組み合わせてもよい）１２７を多数枚付した人工植物装飾材１２８を多数用意し、この人工植物装飾材１２８を同図（ｂ）に示すように、避難部１２０から地上へと複数列平行をなして円周配置で垂設する（巻き付けてもよい）ことによって民家の庭に避難装置を設置しても違和感の少ないものが提供できることを例示したものである。
この人工植物装飾材１２８は張り芯材１２６を有するので、装着後に常緑性つた類（キズタ、ヘデラ・ヘリックス、ヘデラ・カナリエンシスなど）などの自然植物を併設させることができる。前記のように先に人工装飾材１２８を設けておくと避難装置を設置当初から違和感の少ないものとすることができ、それに自然植物を併設すると違和感を一層少なくすることができる。
一方、人工装飾手段によらず、避難装置の周りの内周側に人工植物装飾材１２４Ａを配備する一方外周側に周ネットや垂れ線材などの張架線材あるいはネット状材添設案内受材１２４Ｂを張設しておいてその基部につた類などを植設しておけば、避難装置設置後においては人工植物装飾材１２４Ａにより一定の審美性を確保でき、一定期間経過後には自然植物が生長して這い上がり人工植物装飾材１２４Ａを隠すまでになることで本来の審美性を発揮できるようになる。避難装置のぐるり外周が自然植物で装飾された後には、それまであった人工植物装飾材１２４Ａはそのままにしてもよいし完全に取り去ってもよい。前記外周の添設案内受材１２４Ａについては、強力なワイヤとして避難装置のトラワイヤを兼用するように構成でき、この場合、トラワイヤ１２４を廃してもよい。
上記した各種装飾方法については、支柱が擬木様のもの以外に、例えば、図１のような複数本のパイプで組み寄せられたタイプのものや図７、図９、図１０、図１１に示す単一本支柱タイプのものを含む他の実施形態にも適用することができる。
尚、受フレーム１２２などにも人工あるいは自然装飾を付すことができる。この場合、受フレーム１２２の上部には、ツタストッパ１２５を付しておくとそれより上の風力発電装置本体１２１などの非装飾部分に自然装飾類が這い上がらないようになる。
また、人工あるいは自然植物装飾を付す場合、出入口１２９を開けておく必要がある。この場合、入口フレーム１２９ａを立設して出入口１２９を残すように形成するものとする。入口フレーム１２９ａにネット付きドア枠を付してネット面に人工あるいは自然装飾を別設するようにすれば全体が余すことなく装飾されるようになる。
【００２９】  図１３は他の実施形態を示す。同実施形態は、基礎１３１から立設された１本パイプ製のドア１３２付き支柱１３３上にプラネタリュウム型の避難部１３４を設置したもので、避難部１３４へは支柱１３３内の梯子を伝って登ることができるようになっている。１３５はトラワイヤ、１３６は防犯カメラである。
【００３０】  図１４は他の実施形態を示す。同実施形態は、基礎１３８から支柱１３９を立設してその上に作業台１４０を設けるとともに、作業台１４０には斜め梯子型の登降手段１４１で登ることができるようにし、こうした装置は上部に風力発電装置本体１４２を装備して風力発電型タワーを構成するが、このタワーを津波避難装置としても利用し得るようにしたことに特徴を有するものである。
【符号の説明】
【００３１】  １…設置基盤  ９…主避難部  １８…貯水タンク（貯水部）  ３８…副避難部。
【図１】
2014005714.tif 000003
【図２】
2014005714.tif 000004
【図３】
2014005714.tif 000005
【図４】
2014005714.tif 000006
【図５】
2014005714.tif 000007
【図６】
2014005714.tif 000008
【図７】
2014005714.tif 000009
【図８】
2014005714.tif 000010
【図９】
2014005714.tif 000011
【図１０】
2014005714.tif 000012
【図１１】
2014005714.tif 000013
【図１２】
2014005714.tif 000014
【図１３】
2014005714.tif 000015
【図１４】
2014005714.tif 000016